(57)【要約】【課題】上面及び側面から内容物を取り出すことのできる包装箱を提供する。【解決手段】包装箱１は、開閉可能な上面部２を有している。側面部６ａは、切り裂き部であるミシン目７によって、隣接する他の側面部６ｂ及び６ｄのそれぞれに固定されている。側面部６ａの上端縁には、包装箱１の内部に向かって折り曲げられたフラップ部８が設けられている。フラップ部８には、２つの孔９が設けられており、各孔９は、フラップ部８と面一な閉鎖部１０によって閉じられている。閉鎖部１０は、切り離し可能なミシン目１３によってフラップ部８に固定されている。上面部２が上部開口面３を閉じた状態で孔９に重なるように、上面部２には切欠部１１が設けられている。【選択図】図１
2013233995.tif 000002
【特許請求の範囲】
【請求項１】
内容物を包装する紙製の包装箱であって、
開閉可能な上面部と、
該上面部が開くことにより構成される前記包装箱の上部開口面を前記上面部が閉じた状態で該上面部を固定する固定手段と、
少なくとも１つの開閉可能な側面部と
を備え、
該開閉可能な側面部は、切り裂き可能な切り裂き部を介して他の側面部に固定されており、前記切り裂き部を切り裂くことにより前記開閉可能な側面部が開閉可能となる包装箱。
【請求項２】
前記開閉可能な側面部の上端部には、前記開閉可能な側面部が開くことにより構成される前記包装箱の側部開口面に挿入されるフラップ部が設けられている、請求項１に記載の包装箱。
【請求項３】
前記フラップ部には少なくとも１つの孔が設けられており、前記上部開口面を前記上面部が閉じた状態で前記孔に重なるように、前記上面部には切欠部が設けられている、請求項２に記載の包装箱。
【請求項４】
前記孔は、前記フラップ部と面一な閉鎖部によって閉じられており、該閉鎖部の少なくとも一部が前記フラップ部から切り離されることにより前記孔が形成される、請求項３に記載の包装箱。
【請求項５】
前記開閉可能な側面部を開くことにより構成される前記包装箱の側部開口面から見える２つの側面部の端縁の少なくとも一方には、前記側部開口面の一部を覆うサイドストッパーが設けられている、請求項１〜４のいずれか一項に記載の包装箱。
【請求項６】
前記包装箱の底面部上に中敷きが設けられ、前記開閉可能な側面部を開くことにより構成される前記包装箱の側部開口面から見える前記中敷きの端縁には、前記側部開口面の一部を覆うボトムストッパーが設けられている、請求項１〜５のいずれか一項に記載の包装箱。
【発明の詳細な説明】
【技術分野】
【０００１】
この発明は、包装箱に係り、例えば、多数の封筒を包装する紙製の包装箱に関する。
【背景技術】
【０００２】
製造された封筒に印刷を行うために印刷業者に封筒を搬入する際には、上面が開閉可能な直方体形状の段ボール箱に多数の封筒を詰めて搬入している。印刷業者は、上面を開き、段ボール箱内の封筒を全て取り出して印刷を行う。印刷業者は一般的に、段ボール箱内の封筒を少量ずつ取り出すことは行わず、段ボール箱からいっぺんに全ての封筒を取り出すので、開口面の広い上面を開いて封筒を取り出すことに不便を感じることは少ない。しかしながら、企業の事務部門のような封筒の一般ユーザは、数枚の封筒を使用するたびに段ボール箱から取り出すことが多いので、段ボール箱の上面を開いて封筒を取り出す作業に不便を感じることがある。特に、複数の段ボール箱単位で封筒を大量購入して、当該段ボールを積み上げて保管している場合には、その中から必要量の封筒を取り出すために、取り出す段ボール箱を作業しやすい場所に移動し、その後、上面を開いて封筒を取り出し、その段ボール箱を元の位置に戻すことになるため、作業が非常に不便となる。
【０００３】
このような場合には、段ボール箱の上面だけではなく、４つの側面のうちの１つを開閉可能にしておき、複数の段ボール箱を積み上げた状態でも、開閉可能な側面を開くことにより、少量の封筒を取り出すことができる。このような段ボール箱が、封筒用のものではなく缶ジュース用のものであるが、特許文献１に記載されている。
【先行技術文献】
【特許文献】
【０００４】
【特許文献１】特開２００５−３５６０９号公報
【発明の概要】
【発明が解決しようとする課題】
【０００５】
しかしながら、特許文献１に記載された段ボール箱では、缶ジュースの製造業者が段ボール箱に複数の缶ジュースをいっぺんに詰める際に上面を開き、缶ジュースを段ボールに詰めた後は上面を完全に密封するので、段ボール箱単位で缶ジュースを購入した販売店や消費者等は一般的に、当該段ボールを側面から開いて缶ジュースを取り出している。販売店や消費者も、段ボール箱から全ての缶ジュースをいっぺんに取り出す際には、密封された上面を開いて缶ジュースを取り出すこともできるが、上面を開いた上に側面も開いてしまうと、もはや段ボール箱としての形状及び強度を保つことはできず、缶ジュースの保管には適さない箱となってしまう。
【０００６】
この発明はこのような問題点を解決するためになされたもので、上面及び側面から内容物を取り出すことのできる包装箱を提供することを目的とする。
【課題を解決するための手段】
【０００７】
この発明に係る包装箱は、内容物を包装する紙製の包装箱であって、開閉可能な上面部と、上面部が開くことにより構成される包装箱の上部開口面を上面部が閉じた状態で上面部を固定する固定手段と、少なくとも１つの開閉可能な側面部とを備え、開閉可能な側面部は、切り裂き可能な切り裂き部を介して他の側面部に固定されており、切り裂き部を切り裂くことにより開閉可能な側面部が開閉可能となる。
開閉可能な側面部の上端部には、開閉可能な側面部が開くことにより構成される包装箱の側部開口面に挿入されるフラップ部が設けられていてもよい。
フラップ部には少なくとも１つの孔が設けられており、上部開口面を上面部が閉じた状態で孔に重なるように、上面部には切欠部が設けられていてもよい。
孔は、フラップ部と面一な閉鎖部によって閉じられており、閉鎖部の少なくとも一部がフラップ部から切り離されることにより孔が形成されてもよい。
開閉可能な側面部を開くことにより構成される包装箱の側部開口面から見える２つの側面部の端縁の少なくとも一方には、側部開口面の一部を覆うサイドストッパーを設けてもよい。
包装箱の底面部上に中敷きが設けられ、開閉可能な側面部を開くことにより構成される包装箱の側部開口面から見える中敷きの端縁には、側部開口面の一部を覆うボトムストッパーを設けてもよい。
【発明の効果】
【０００８】
この発明によれば、開閉可能な上面部及び開閉可能な少なくとも１つの側面部を有しているので、上面及び側面から内容物を取り出すことができる。
【図面の簡単な説明】
【０００９】
【図１】この発明の実施の形態１に係る包装箱の斜視図である。
【図２】実施の形態１に係る包装箱の開閉可能な側面部を開いた状態の側面図である。
【図３】実施の形態２に係る包装箱の上面部を開いた状態の平面図である。
【図４】実施の形態２に係る包装箱の開閉可能な側面部を開いた状態の側面図である。
【発明を実施するための形態】
【００１０】
以下、この発明の実施の形態を添付図面に基づいて説明する。
実施の形態１．
図１に示されるように、包装箱１は、直方体形状を有する段ボール製の箱である。包装箱１は、開閉可能な上面部２を有しており、上面部２が開くことにより、包装箱１の上面には上部開口面３が形成されて、上部開口面３を介して包装箱１の内部が露出される。上面部２の周縁の一部には、該周縁から外方に突出した挿入片４が設けられており、上面部２が上部開口面３を閉じた状態で挿入片４が挿入可能な挿入穴５が、４つの側面部６ａ，６ｂ，６ｃ，６ｄのうちの１つの側面部６ｂの上端縁に設けられている。上面部２は、側面部６ｂに平行な側面部６ｄの上縁に折り曲げ可能に接続されている。挿入片４が挿入穴５に挿入されると、上面部２が上部開口面３を閉じた状態で上面部２が固定されるので、挿入片４及び挿入穴５は固定手段を構成する。
【００１１】
４つの側面部のうちのさらに別の側面部である側面部６ａは、切り裂き部であるミシン目７を介して、隣接する他の側面部６ｂ及び６ｄのそれぞれに固定されている。側面部６ａの上端縁には、包装箱１の内部に向かって折り曲げられたフラップ部８が設けられている。フラップ部８には、２つの孔９が設けられており、各孔９は、フラップ部８と面一な閉鎖部１０によって閉じられている。閉鎖部１０は、切り離し可能なミシン目１３によってフラップ部８に固定されている。上面部２が上部開口面３を閉じた状態で孔９に重なるように、上面部２には切欠部１１が設けられている。
【００１２】
次に、この発明の実施の形態１に係る包装箱の使用形態について説明する。
包装箱１の内容物として封筒を想定して説明する。図１に示されるように、封筒の製造業者は、包装箱１内に多数の封筒を詰める場合には、上面部２を開いて上部開口面３から包装箱１内に封筒を入れる。その後、上部開口面３を上面部２が閉じた状態で挿入片４を挿入穴５に挿入して上面部２を固定する。この状態で、封筒の印刷業者に包装箱１を搬入する。印刷業者は、挿入片４を挿入穴５から抜き、上面部２を開いて上部開口面３から包装箱１内の全ての封筒をいっぺんに取り出し、封筒に対して印刷を行う。封筒への印刷が終了したら、印刷された封筒は、製造業者と同様にして、包装箱１内に詰められる。その後、印刷された封筒が詰められた包装箱１は、流通されて企業の事務部門のような封筒の一般ユーザの手に渡ることとなる。
【００１３】
一般ユーザは、包装箱１からいっぺんに全ての封筒を取り出すことはほとんどなく、数枚といった少数の封筒を必要に応じて包装箱１から取り出すのが一般的な作業である。通常は、封筒を取り出す作業は頻繁にあるものではないので、包装箱１は、オフィスの邪魔にならない場所、例えば棚の上や、棚と棚又は壁との間の隙間や、机の下等に置かれることが多い。包装箱１が複数ある場合には、これらの場所に積み重ねて置いてあったりすることが多い。特に、幾枚かの封筒を取り出し済の包装箱１の上に、購入したばかりの新しい包装箱１を積み重ねてしまった場合には、新しい包装箱１をどけてから、使用中の包装箱１の上面部２を開いて封筒を取り出そうとすると、非常に面倒に感じることもある。
【００１４】
そこで、一般ユーザがこの実施の形態に係る包装箱１から封筒を取り出す場合には、ユーザは、指で閉鎖部１０を下方に押すことにより、ミシン目１３が切り裂かれて、閉鎖部１０の一部分がフラップ部８から切り離されて孔９が形成される。孔９に指を入れた状態で側面部６ａを外方に向かって引っ張ると、ミシン目７が切り裂かれて、側面部６ａが側面部６ｂ及び６ｄから切り離される。すると、図２に示されるように、包装箱１の側面に側部開口面１２が形成され、側部開口面１２から、包装箱１内に詰められた封筒を取り出すことが可能になる。特に、側面部６ａを開いた包装箱１の上に別の包装箱１が積み重ねられていても、それらを移動させずに、側部開口面１２から必要な枚数の封筒を取り出すことができる。
【００１５】
必要な枚数の封筒を取り出したら、フラップ部８を側部開口面１２に挿入することにより、側面部６ａが側部開口面１２を閉じた状態で側面部６ａを固定できる。側面部６ａを開閉可能にしても、依然として、上面部２は開閉可能であり、上面部２を開いて上部開口面３から封筒を取り出すこともできる。
【００１６】
このように、包装箱１は、開閉可能な上面部２及び開閉可能な側面部６ａを有しているので、上部開口面３及び側部開口面１２から封筒を取り出すことができる。
【００１７】
実施の形態２．
次に、この発明の実施の形態２に係る包装箱について説明する。尚、以下の実施の形態において、図１及び２の参照符号と同一の符号は、同一又は同様な構成要素であるので、その詳細な説明は省略する。
この発明の実施の形態２に係る包装箱は、実施の形態１に対して、包装箱の側面から内容物を取り出す際に、内容物が側面から飛び出さないようにしたものである。
【００１８】
図３に示されるように、包装箱２１は、側面部６ａ，６ｂ，６ｃ，６ｄと、底面部６ｅ（図４参照）と、開閉可能な上面部２を有している。側面部６ａ，６ｂ，６ｃはそれぞれ、それらの下端縁が底面部６ｅに接続されている。側面部６ｄは、その下端縁は底面部６ｅには接続されておらず、側面部６ｃとのみ接続されている。側面部６ｄには、補助側面部２６が係合している。補助側面部２６には、切り込み部２７が形成されており、切り込み部２７に側面部６ｃをその下端縁から挿入することにより、側面部６ｄと補助側面部２６とが係合し、補助側面部２６は、側面部６ｄの外面側に隣接するように配置されている。実施の形態２では、側面部６ｄと補助側面部２６とが係合することにより、側面部６ａに隣接する一方の側面部を構成する。側面部６ａは、ミシン目７を介して、側面部６ｂ及び補助側面部２６のそれぞれに固定されている。
【００１９】
底面部６ｅには、側面部６ｄの下端縁に近接する縁部に、連結側面部２２が接続されており、連結側面部２２には、上面部２が接続されている。上面部２の周縁の一部には、該周縁から外方に突出した挿入片２４が設けられている。挿入片２４には、孔２５が形成されており、上面部２を開くために挿入片２４を挿入穴５から引き抜く際、指を孔２５に挿入して挿入片２４を引き上げることにより、挿入片２４を挿入穴５から引き抜きやすくなる。
【００２０】
実施の形態１と同様にして、ミシン目７を引き裂いて側面部６ａを側面部６ｂ及び補助側面部２６から切り離すことにより、側面部６ａを開いた状態の側面図を図４に示す。図４に示されるように、側面部６ｂ及び６ｄ（図３参照）の側部開口面１２から見える端縁にはそれぞれ、折り曲げ可能にサイドストッパー３１が接続されている。包装箱２１の内部において、底面部６ｅ上には、段ボール製の中敷き３２が載置され、中敷き２２の側部開口面１２から見える端縁には、折り曲げ可能にボトムストッパー３３が接続されている。側面部６ａが側部開口面１２を塞いでいる場合には、各サイドストッパー３１は側面部６ｂ及び補助側面部２６に対して略垂直に折り曲げられて側部開口面１２の一部を覆うと共に、ボトムストッパー３３は中敷き３２に対して略垂直に折り曲げられてサイドストッパー３１に対して包装箱２１の内部側で側部開口面１２の一部を覆うようになっている。
【００２１】
実施の形態２では、側面部６ａを開いただけでは、サイドストッパー３１及びボトムストッパー３３が側部開口面１２の一部を覆っているため、包装箱２１内に収容された封筒を側部開口面１２から取り出すことができない。折り曲げられているサイドストッパー３１及びボトムストッパー３３をのばして側部開口面１２を覆わない状態にすることで初めて、封筒を取り出すことができる。このため、実施の形態１と同じように上部開口面３及び側部開口面１２から封筒を取り出すことができると共に、側面部６ａを開いた時に、包装箱２１内の封筒が側部開口面１２から飛び出してしまうことを防止できる。また、側面部６ａを開いた後、再び側面部６ａで側部開口面１２を塞ぐ際、フラップ部８を側部開口面１２に挿入するが、フラップ部８は、上面部２とサイドストッパー３１との間に挿入されてフラップ部８がしっかり固定されることになるので、側面部６ａはしっかりと側部開口面１２を塞ぐことができるようになる。
【００２２】
実施の形態２では、サイドストッパー３１及びボトムストッパー３３を両方設けていたが、この形態に限定するものではない。包装箱２１に収容されている物が、包装箱２１の内容積の大部分を占める大きなもので、サイドストッパー３１だけ、あるいは、ボトムストッパー３３だけでも、側面部６ａを開いた時に、当該物が、側部開口面１２から飛び出してしまうことを防止できるのであれば、いずれか一方のみでもよい。また、サイドストッパー３１も必ずしも２つ設ける必要はなく、包装箱２１に収容されている物の種類や大きさに応じて、サイドストッパー３１を１つだけ設けてもよい。サイドストッパー３１及びボトムストッパー３３の大きさ及び形状についても、包装箱２１に収容されている物の種類や大きさに応じて適宜変更してもよい。
【００２３】
実施の形態１及び２では、フラップ部８に設けられた孔９は２つであったが、１つでも３つ以上でもよい。また、切欠部１１の数も孔９の数に合わせて変更することもできる。尚、切欠部１１が上面部２に設けられていなくても、フラップ部８と上面部２との間の隙間に指を入れて、閉鎖部１０をフラップ部８から切り離すこともできる。さらに、閉鎖部１０はその一部分がフラップ部８から切り離されるような形態に限定するものではなく、閉鎖部１０の全周縁がミシン目１３によってフラップ部８に固定されており、閉鎖部１０をフラップ部８から完全に切り外すような形態であってもよい。尚、孔９が閉鎖部１０により閉じられておらず、最初から孔９が開口していてもよい。
【００２４】
実施の形態１及び２では、包装箱１は、段ボール製であったが、段ボールに限定するものではない。板紙等の任意の紙で作成されてもよい。また、包装箱１は、封筒を包装するための箱であることに限定するものではなく、内容物は任意でよく、内容物の大きさに応じて任意の大きさ及び形状で作成してもよい。
【００２５】
実施の形態１及び２では、側面部６ａのみが開閉可能であったが、側面部６ａと対向する側面部６ｃも開閉可能にしてもよい。
【符号の説明】
【００２６】
１，２１  包装箱、２  上面部、３  上部開口面、４，２４  挿入片（固定手段）、５  挿入穴（固定手段）、６ａ  側面部（開閉可能な側面部）、６ｂ，６ｄ  側面部（他の側面部）、６ｅ  底面部、７  ミシン目（切り裂き部）、８  フラップ部、９  孔、１０  閉鎖部、１２  側部開口面、２６  補助側面部（他の側面部）、３１  サイドストッパー、３２  中敷き、３３  ボトムストッパー。
【図１】
2013233995.tif 000003
【図２】
2013233995.tif 000004
【図３】
2013233995.tif 000005
【図４】
2013233995.tif 000006